(57)【特許請求の範囲】
【請求項１】
媒体のイメージ情報を光学的に読み取る読取装置において、
前記媒体が前記媒体の所定の頂点を原点に合わせてセットされる台座と、
前記台座に前記原点から第１方向に離間して配置され前記媒体の前記頂点を前記原点にガイドする第１ガイドと、
前記台座に前記原点から前記第１方向に前記第１ガイドより離れて配置され前記媒体に１点で当接し前記媒体の前記頂点を前記原点に前記第１ガイドと共にガイドする第２ガイドと、
前記台座に前記原点から前記第１方向と直交する第２方向に離間して配置され、前記第１方向の逆方向に移動する前記媒体の前記頂点を前記原点にガイドし、また、前記第２ガイドとの当接点を支点に回転して前記頂点が前記原点に移動する前記媒体を前記台座から分離して、前記頂点が乗り越える第３ガイドと、
前記台座に前記原点から前記第２方向に前記第３ガイドより離れて配置され、前記頂点が前記第３ガイドを乗り越えて回転する前記媒体と当接して、前記媒体の前記頂点を前記原点にガイドする第４ガイドと、
を有することを特徴とする読取装置。
【請求項２】
前記第１ガイドは、前記第２方向の逆方向に移動する前記媒体の前記頂点を前記原点にガイドし、また、前記第４ガイドとの当接点を支点に回転して前記頂点が前記原点に移動する前記媒体を前記台座から分離して、前記頂点を乗り越えさせ、
前記第２ガイドは、前記頂点が前記第１ガイドを乗り越えて回転する前記媒体と当接して、前記媒体の前記頂点を前記原点にガイドする、
ことを特徴とする請求項１記載の読取装置。
【請求項３】
前記第３ガイドは、前記第２方向と平行な面であって、前記第１方向の逆方向に移動する前記媒体を制止し、前記媒体の前記頂点を前記原点にガイドする制止面と、前記第２方向の逆方向に対して前記台座から傾斜した面を備え、前記媒体を前記台座から分離する分離面とを有する楔形状であることを特徴とする請求項１記載の読取装置。
【請求項４】
前記第１ガイドは、前記第１方向と平行な面であって、前記第２方向の逆方向に移動する前記媒体を制止し、前記媒体の前記頂点を前記原点にガイドする制止面と、前記第１方向の逆方向に対して前記台座から傾斜した面を備え、前記媒体を前記台座から分離する分離面とを有する楔形状であることを特徴とする請求項２記載の読取装置。
【請求項５】
前記媒体が長方形であって、
前記第１ガイドと前記第２ガイドとの間に配置され、前記第４ガイドとの間隔が長方形の前記媒体の短辺よりも短い第５ガイド、
を更に有することを特徴とする請求項２記載の読取装置。
【請求項６】
前記第４ガイドと前記第２ガイドとの間隔は、長方形の前記媒体の長辺よりも短いことを特徴とする請求項５記載の読取装置。
【請求項７】
前記第２ガイド、前記第４ガイド及び前記第５ガイドは円柱であって、前記円柱の側面で前記媒体と当接することを特徴とする請求項５記載の読取装置。
【請求項８】
前記第２ガイド、前記第４ガイド及び前記第５ガイドは、角柱または角錐であって、前記台座に垂直な１つの辺で前記媒体と当接することを特徴とする請求項５記載の読取装置。
【請求項９】
前記第２ガイド、前記第４ガイド及び前記第５ガイドが円柱または角柱であって、底面が上面に対して縮軽し、側面が前記台座に対して傾斜している、
ことを特徴とする請求項５記載の読取装置。
【発明の詳細な説明】
【技術分野】
【０００１】
本発明は、読取装置に関する。
【背景技術】
【０００２】
対象媒体から文字及び画像等のイメージ情報を読み取る読取装置として、読み取り対象の媒体が載置される台座から離れた高さにイメージセンサ部が配置されたＯＨＲ（Over Head Reader）がある（例えば、特許文献１，２参照）。
【０００３】
例えば、金融機関では、オペレータは、媒体である帳票の記載内容が表示されるモニタを見ながら、手元を殆ど見ることなく、ＯＨＲの台座に帳票を載置し、台座上で当該帳票を読み取り領域に移動させて、イメージセンサ部による帳票の読み取りを実行させる。オペレータがこのような動作を繰り返し手早く実行し、複数の帳票の情報が読み取られる。当該ＯＨＲでは台座にセットされた媒体とイメージセンサ部との間が離れているため、例えば厚みのある帳票でも読み取ることができる。
【０００４】
ＯＨＲでは、媒体を台座にセットする際に、適切な置き位置・角度に当該媒体が配置されるように突き当てガイド（例えば、特許文献２の図４の「帳票設置ガイド１４ｂ」）が備えられている。オペレータは当該突き当てガイドに媒体の一辺または二辺を突き当てるようにして媒体をセットし、イメージセンサ部による読み取りを実行する。
【０００５】
ＯＨＲ自体は、光源を持たず、室内の天井照明等の環境光が媒体に当たり反射した光を台座上方のイメージセンサ部で受光することで画像を生成する。このため、光源方向によっては突き当てガイドの影が台座上に生じてしまい、影の部分は暗く読み取られてしまう。そこで、ＯＨＲでは基準媒体を予め読み取っておき、台座面に生じる影の情報を記憶させて読み取り時に影が目立たないように画像情報を補正する機能（キャリブレーション）を備えている。
【０００６】
しかしながら、媒体からごく近い突き当てガイドが作る階調差が明瞭な影を適切に補正することは難しく、影の境界部分を補正しきれず影が線状にノイズとして残ってしまう。このようにして残ったノイズにより、帳票原点位置の誤読が生じやすくなり、誤読した場合に認識フィールドがずれてしまい帳票のＩＤエラーとなる問題があった。
【０００７】
そこで、突き当てガイドを、例えば、ピン形状のピン突き当てガイドを突き当てガイドの配置位置に沿って複数設置することで、台座に生じる影の面積を小さくして、ノイズによる影響を抑制することができる。
【先行技術文献】
【特許文献】
【０００８】
【特許文献１】特開２００２−３４２７５２号公報
【特許文献２】特開２０１０−０５７０７９号公報
【発明の概要】
【発明が解決しようとする課題】
【０００９】
しかし、このようにピン突き当てガイドを利用すると、媒体を所定の読み取り領域にセットする際には、ピン突き当てガイドの配置位置を考慮して、読み取り領域を正確に狙わないと、ピン突き当てガイド間の隙間並びにピン突き当てガイド自体に帳票の角が引っかかってしまい、台座上に媒体を移動させる際の操作感が低下してしまうという問題点があった。
【００１０】
さらに、オペレータは、媒体を読み取り領域にセットする度に、台座上の媒体を視認しながら移動させる必要が生じる。このため、オペレータによる媒体をセットするための動作効率が低下するという別の問題点もあった。
【００１１】
本発明はこのような点に鑑みてなされたものであり、媒体を所定位置に円滑にセットすることができる読取装置を提供することを目的とする。
【課題を解決するための手段】
【００１２】
上記目的を達成するために、媒体のイメージ情報を光学的に読み取る読取装置において、前記媒体が前記媒体の所定の頂点を原点に合わせてセットされる台座と、前記台座に前記原点から第１方向に離間して配置され前記媒体の前記頂点を前記原点にガイドする第１ガイドと、前記台座に前記原点から前記第１方向に前記第１ガイドより離れて配置され前記媒体に１点で当接し前記媒体の前記頂点を前記原点に前記第１ガイドと共にガイドする第２ガイドと、前記台座に前記原点から前記第１方向と直交する第２方向に離間して配置され、前記第１方向の逆方向に移動する前記媒体の前記頂点を前記原点にガイドし、また、前記第２ガイドとの当接点を支点に回転して前記頂点が前記原点に移動する前記媒体を前記台座から分離して、前記頂点が乗り越える第３ガイドと、前記台座に前記原点から前記第２方向に前記第３ガイドより離れて配置され、前記頂点が前記第３ガイドを乗り越えて回転する前記媒体と当接して、前記媒体の前記頂点を前記原点にガイドする第４ガイドと、を有する読取装置が提供される。
【発明の効果】
【００１３】
このような読取装置によれば、媒体を所定の読み取り領域に円滑に移動させることができる。
【図面の簡単な説明】
【００１４】
【図１】第１の実施の形態に係る読取装置を説明するための概念図である。
【図２】第２の実施の形態に係る帳票読取装置の斜視図である。
【図３】第２の実施の形態に係る台座を説明するための平面図である。
【図４】第２の実施の形態の楔形ガイド及びピンガイドを説明するための斜視図である。
【図５】第２の実施の形態に係る所定領域への媒体の移動を説明するための図である。
【図６】第２の実施の形態に係る所定領域へ媒体を回転させる移動を説明するための図（その１）である。
【図７】第２の実施の形態に係る所定領域へ媒体を回転させる移動を説明するための図（その２）である。
【図８】第２の実施の形態に係る所定領域へ媒体を回転させる移動を説明するための図（その３）である。
【図９】第２の実施の形態に係る所定領域へ媒体を回転させる移動を説明するための図（その４）である。
【図１０】実施例１に係る楔形ガイドを説明するための斜視図である。
【図１１】実施例２に係るピンガイドを説明するための斜視図である。
【図１２】実施例３に係る台座に設置されるピンガイドの形状を説明するための図である。
【発明を実施するための形態】
【００１５】
以下、実施の形態について図面を参照して説明する。
［第１の実施の形態］
図１は、第１の実施の形態に係る読取装置を説明するための概念図である。
【００１６】
なお、図１（Ａ）は媒体を読み取り領域に直線的に移動させる場合を、図１（Ｂ）は媒体を読み取り領域に回転して移動させる場合をそれぞれ図示している。また、図１（Ｃ）はガイド５，６を拡大して図示している。
【００１７】
読取装置１は、読み取り対象の媒体Ｍを円滑に移動させて読み取り領域に確実にセットさせることができるものである。
このような読取装置１は、台座２と、当該台座２に設けられたガイド３〜６と、台座２の読み取り領域にセットされた媒体Ｍを読み取るイメージスキャナ部（図示を省略）とを有する。
【００１８】
台座２は、媒体Ｍが媒体Ｍの所定の頂点Ｖを原点Ｏに合わせて読み取り領域に載置される。
ガイド３は、台座２上の原点Ｏから第１方向（図中右方）に離間して配置され媒体Ｍの頂点Ｖを原点Ｏにガイドする。なお、ガイド３は、図１に示されるように、例えば、後述するガイド５と同じ形状にすることが可能である。
【００１９】
ガイド４は、台座２に原点Ｏから第１方向にガイド３より離れて配置され媒体Ｍに１点で当接し媒体Ｍの頂点Ｖを原点Ｏにガイド３と共にガイドする。
ガイド５は、台座２に原点Ｏから第１方向と直交する第２方向（図中下方）に離間して配置され、第１方向の逆方向に移動する媒体Ｍの頂点Ｖを原点Ｏにガイドし、また、ガイド４との当接点Ｐを支点に回転して頂点Ｖが原点Ｏに移動する媒体Ｍを台座２から分離して、前記頂点Ｖが乗り越える。このようなガイド５は、具体例として、図１（Ｃ）に示されるように、第２方向と平行な面を備え、第１方向の逆方向に移動する媒体Ｍを制止し、媒体Ｍの頂点Ｖを原点Ｏにガイドする制止面５ａと、第２方向の逆方向に対して台座２から離れて傾斜した面であって、媒体Ｍを台座２から分離させる分離面５ｂとを有する楔形状である。なお、ガイド３は、既述の通り、ガイド５と同形状であって、第１方向の逆方向に対して台座２から離れるように傾斜した面を備える。
【００２０】
ガイド６は、台座２に原点Ｏから第２方向にガイド５より離れて配置され、頂点Ｖがガイド５を乗り越えて回転する媒体Ｍの頂点Ｖを原点Ｏにガイドする。
このような構成の読取装置１における媒体Ｍの読み取り領域への移動について説明する。
【００２１】
まず、例えば、図１（Ａ）に破線で示される台座２の位置から媒体Ｍを読み取り領域にセットさせる場合について説明する。
この場合、オペレータは、台座２上の媒体Ｍを矢印Ａ１に沿って移動させると、媒体Ｍの長辺及び短辺がガイド３，４及びガイド５，６にそれぞれ当接すると共に、媒体Ｍの頂点Ｖが原点Ｏに位置して、媒体Ｍが読み取り領域にセットされる。
【００２２】
さらに、オペレータは、台座２上の媒体Ｍを図中上方に移動させると、媒体Ｍの長辺がガイド３の制止面並びにガイド４の当接点に当接して、媒体Ｍの移動が制止される。さらに、媒体Ｍの長辺をガイド３，４に当接させた状態で、媒体Ｍの頂点Ｖを原点Ｏ側（図中左方）に移動させる（矢印Ａ２）。媒体Ｍの頂点Ｖの原点Ｏへの移動に伴って、媒体Ｍの短辺がガイド５，６に当接すると共に、媒体Ｍの頂点Ｖが原点Ｏに位置して、媒体Ｍが読み取り領域にセットされる。
【００２３】
また、台座２上の媒体Ｍを図中左方に移動し媒体Ｍの短辺をガイド５，６に当接させた状態で、媒体Ｍの頂点Ｖを原点Ｏ側（図中上方）に移動させる（矢印Ａ３）。媒体Ｍの頂点Ｖが原点Ｏに移動するに伴って、媒体Ｍの長辺がガイド３，４に当接すると共に、媒体Ｍの頂点Ｖが原点Ｏに位置して、媒体Ｍが読み取り領域にセットされる。
【００２４】
一方、媒体Ｍを、上記のように台座２に破線で示す位置（図１（Ａ））から矢印Ａ１〜Ａ３にいずれかに沿って移動させる途中に、図１（Ｂ）に示されるように、媒体Ｍの長辺がガイド４の当接点Ｐに引っかかった場合には、オペレータは、媒体Ｍを当接点Ｐを支点にして矢印Ａ４に沿って媒体Ｍの頂点Ｖから原点Ｏに図中時計回りに回転させる。回転する媒体Ｍは、ガイド５の分離面５ｂで台座２から分離して頂点Ｖがガイド５を乗り越える。そして、ガイド５を乗り越えて回転する媒体Ｍをガイド６が規制して媒体Ｍの頂点Ｖが原点Ｏにガイドされ、媒体Ｍが読み取り領域にセットされる。
【００２５】
同様に、媒体Ｍの短辺がガイド６の当接点に引っかかった場合にも、オペレータは、当接点を支点に媒体Ｍの頂点Ｖから原点Ｏに、媒体Ｍを図中反時計回りに回転させて、ガイド３を乗り越えて、ガイド６が媒体Ｍを規制して、媒体Ｍが読み取り領域にセットされる。
【００２６】
上記読取装置１は、台座２上の媒体Ｍをガイド３〜６に沿って移動させることにより、読み取り領域にセットすることができる。また、媒体Ｍの読み取り領域への移動の際に媒体Ｍの長辺及び短辺がガイド４，６に引っかかっても、当接点を支点にして、媒体Ｍの頂点Ｖから原点Ｏに、媒体Ｍを回転させることにより、媒体Ｍを読み取り領域にセットすることができる。このようにして、オペレータは、読取装置１により、媒体Ｍを所定の読み取り領域に円滑かつ容易に移動させることができる。
【００２７】
［第２の実施の形態］
第２の実施の形態では、上記第１の実施の形態をより具体的に説明する。
図２は、第２の実施の形態に係る帳票読取装置の斜視図である。
【００２８】
帳票読取装置１０は、読み取り対象の媒体である帳票が所定の読み取り領域に載置される台座２０と、台座２０に支柱１１により台座２０上の帳票から離れた高さに位置するイメージセンサ部１２とを有する。また、イメージセンサ部１２を支持する支柱１１の高さや傾きは、イメージセンサ部１２で撮影した際に、台座２０の周縁部内側が帳票の周縁部外側に所定の幅だけ含まれるよう構成されている。
【００２９】
この帳票読取装置１０は、イメージセンサ部１２が、室内光のみで台座２０に載置された帳票を高解像度で読み取ることができる。
このようにして読み取られる帳票が所定の読み取り領域に載置される台座２０の詳細について説明する。
【００３０】
図３は、第２の実施の形態に係る台座を説明するための平面図である。
台座２０には、図３に示されるように、原点Ｏからそれぞれ直交する方向に距離ａだけ離間した楔形ガイド２１，２４と、楔形ガイド２１，２４からそれぞれ距離ｂ，ｃ離間したピンガイド２２，２５と、ピンガイド２２，２５からそれぞれ距離ｄ，ｅさらに離間したピンガイド２３，２６とが読み取り領域を構成するように配置されている。
【００３１】
なお、各ガイド間の距離は、例えば、距離ａは２５ｍｍ、距離ｂは５５ｍｍ、距離ｃは６５ｍｍ、距離ｄは５０ｍｍ、距離ｅは１００ｍｍである。また、イメージセンサ部１２の中心部から真下の位置に対応する点Ｑから各ピンガイドまでの距離は、例えば、距離ｆ，ｇは１５０．６ｍｍ、距離ｈは１２０．２ｍｍ、距離ｉは１１２．９ｍｍである。
【００３２】
また、図３には、このような各ガイドで構成される台座２０の読み取り領域として、例えば、Ａ４サイズＬ１及びＡ４サイズＬ１を２等分したＡ５サイズＬ２がそれぞれ破線で示されている。また、Ｂ５サイズＬ３及びＢ５サイズＬ３を２等分したＢ６サイズＬ４が２点差線で、免許証サイズＬ５が１点鎖線でそれぞれ示されている。
【００３３】
さらに、ピンガイド２５とピンガイド２２との距離Ｒ１は、Ｂ６サイズＬ４の短辺よりも短く、また、ピンガイド２５とピンガイド２３との距離Ｒ２はＢ６サイズＬ４の長辺よりも短くしている。
【００３４】
次に、台座２０に設置されている各ガイドについて説明する。
図４は、第２の実施の形態の楔形ガイド及びピンガイドを説明するための斜視図である。なお、図４（Ａ）は楔形ガイド２１，２４を、図４（Ｂ）はピンガイド２２，２３、図４（Ｃ）はピンガイド２５，２６をそれぞれ示している。
【００３５】
楔形ガイド２１，２４は、図４（Ａ）に示されるように、帳票の移動を制止して当該帳票の頂点を原点Ｏにガイドする制止面２１ａ，２４ａ（制止面２４ａは制止面２１ａの裏面）と、ピンガイド２３，２５との当接点Ｐを支点に帳票の頂点から原点Ｏに回転する帳票を台座２０から分離させる分離面２１ｂ，２４ｂとを有する楔形形状をなしている。具体的には、帳票が矢印Ｂ１に沿って楔形ガイド２１に移動すると、楔形ガイド２１の制止面２１ａにより、帳票の移動が制止される。また、帳票が矢印Ｂ２に沿って楔形ガイド２１に移動すると、楔形ガイド２１の分離面２１ｂにより台座２０から分離する。
【００３６】
なお、楔形ガイド２１，２４のサイズは、例えば、高さは４ｍｍ、長さ及び幅は１０ｍｍとする。
ピンガイド２２，２３及びピンガイド２５，２６は、図４（Ｂ）及び図４（Ｃ）に示されるように、円柱のピン形状をなしている。このようなピンガイド２２，２３，２５，２６は、帳票の長辺または短辺が当接点Ｐの１点で当接する。特に、帳票がピンガイド２３，２５の側面の当接点Ｐに当接し、当接した状態で回転することができる。
【００３７】
なお、ピンガイド２２，２３，２５，２６のサイズは、例えば、高さは５ｍｍ、底面の半径は３ｍｍとする。
また、このような楔形ガイド２１，２４及びピンガイド２２，２３，２５，２６はそれぞれ、ＡＢＳ樹脂、鉄、アルミ等により構成されており、さらに、つや消し塗装が施されて外光の反射をできる限り防ぐようにしている。
【００３８】
次に、このような構成を有する台座２０における、帳票の読み取り領域へのセットについて説明する。
なお、以下では、Ｂ６サイズＬ４の帳票Ｌを例に挙げて説明する。
【００３９】
図５は、第２の実施の形態に係る所定領域への媒体の移動を説明するための図である。
オペレータは、台座２０上の太線で表される領域に帳票Ｌを載置する。そして、矢印Ｃ１に沿って、帳票Ｌの頂点Ｖを原点Ｏに移動させると、帳票Ｌの長辺及び短辺が楔形ガイド２１，２４の制止面２１ａ，２４ａと、ピンガイド２２，２３，２５，２６の当接点Ｐに当接して、帳票Ｌが読み取り領域にセットされる。
【００４０】
また、オペレータは、一点鎖線で表される領域の帳票Ｌを、矢印Ｃ２（または矢印Ｃ４）に沿って、破線で表される領域に移動させると、帳票Ｌの長辺（または短辺）がピンガイド２２，２３（またはピンガイド２５，２６）に当接する。続けて、矢印Ｃ３（または矢印Ｃ５）に沿って、帳票Ｌの頂点Ｖを原点Ｏに移動させると、帳票Ｌの長辺及び短辺が楔形ガイド２１，２４の制止面２１ａ，２４ａと、ピンガイド２２，２３，２５，２６に当接して、帳票Ｌが読み取り領域にセットされる。
【００４１】
なお、既述の通り、ピンガイド２２，２５との距離Ｒ１をＢ６サイズＬ４の短辺よりも短くしており、ピンガイド２３，２５との距離Ｒ２をＢ６サイズＬ４の長辺よりも短くしている。このため、帳票Ｌを台座２０の読み取り領域に移動させる際に、帳票Ｌがピンガイド２２，２５またはピンガイド２３，２５の間に入り込むことが防止されて、帳票Ｌの操作感の低下が抑制される。
【００４２】
図６〜図９は、第２の実施の形態に係る所定領域へ媒体を回転させる移動を説明するための図である。
オペレータが台座２０上の任意の位置に帳票Ｌを載置して、図５の矢印Ｃ１，Ｃ２，Ｃ４に沿って移動させる途中等に、図６の一点鎖線に示されるように、帳票Ｌの長辺がピンガイド２３，２５に当接した場合について説明する。
【００４３】
帳票Ｌがピンガイド２３の当接点Ｐに当接した状態で、矢印Ｄに沿って、帳票Ｌを移動させて、帳票Ｌの頂点Ｖをピンガイド２３，２５の間に位置させる。
そして、オペレータは、図７に示されるように、矢印Ｅに沿って、当接点Ｐを支点に帳票Ｌを頂点Ｖから原点Ｏに図中時計周り方向に回転させる。回転する帳票Ｌは、楔形ガイド２４の分離面２４ｂにより台座２０から分離して、帳票Ｌの頂点Ｖは楔形ガイド２４を乗り越える。そして、ピンガイド２５が回転する帳票Ｌの頂点Ｖを規制し原点Ｏにガイドして、帳票Ｌが読み取り領域にセットされる。
【００４４】
また、上記と同様に、オペレータが台座２０上の任意の位置に帳票Ｌを載置して、図５の矢印Ｃ１，Ｃ２，Ｃ４に沿って移動させる途中等に、図８の一点鎖線に示されるように、帳票Ｌの短辺がピンガイド２２，２５に当接した場合について説明する。
【００４５】
帳票Ｌがピンガイド２３の当接点Ｐに当接した状態で、矢印Ｆに沿って、帳票Ｌを移動させて、帳票Ｌの頂点Ｖをピンガイド２２，２５の間に位置させる。
そして、オペレータは、図９に示されるように、矢印Ｇに沿って、当接点Ｐを支点に帳票Ｌを頂点Ｖから原点Ｏに図中反時計周り方向に回転させる。回転する帳票Ｌは、楔形ガイド２１の分離面２１ｂにより台座２０から分離して、帳票Ｌの頂点Ｖは楔形ガイド２１を乗り越える。そして、ピンガイド２２,２５が回転する帳票Ｌの頂点Ｖを規制して原点Ｏにガイドして、帳票Ｌが読み取り領域にセットされる。
【００４６】
このように帳票読取装置１０は、台座２０上の帳票Ｌを楔形ガイド２１，２４及びピンガイド２２，２３，２５，２６に沿って移動させることにより、読み取り領域にセットすることができる。また、ピンガイド２２，２５の距離を帳票Ｌの短辺よりも短くして、ピンガイド２３，２５の距離を帳票の長辺よりも短くしている。これにより、楔形ガイド２１，２４及びピンガイド２２，２３，２５，２６により、帳票Ｌを台座２０の読み取り領域に移動させる際の、帳票Ｌがピンガイド２２，２５との間、ピンガイド２３，２５との間に入り込むことが防止されて、帳票Ｌの操作感の低下が抑制される。
【００４７】
また、帳票Ｌ移動の際に帳票Ｌの短辺がピンガイド２５に、長辺がピンガイド２３にそれぞれ引っかかっても、当接点Ｐを支点にして、帳票Ｌの頂点Ｖから原点Ｏに、帳票Ｌを回転させると、楔形ガイド２１，２４の分離面２１ｂ，２４ｂにより帳票Ｌの頂点Ｖを台座２０から分離させ、ピンガイド２２，２３，２５が分離させた帳票Ｌの頂点Ｖを原点Ｏにガイドして、帳票Ｌを読み取り領域にセットさせることができる。
【００４８】
このようにして、オペレータは、帳票読取装置１０により、帳票Ｌを所定の読み取り領域に円滑かつ容易に配置することができる。
次に、第２の実施の形態の実施例について説明する。
【００４９】
［実施例１］
実施例１では、楔形ガイドの別の例について説明する。
図１０は、実施例１に係る楔形ガイドを説明するための斜視図である。
【００５０】
楔形ガイド２１，２４に代わって設置可能な楔形ガイド３１，３４は、図１０（Ａ）に示されるように、帳票Ｌの移動を制止して当該帳票の頂点を原点Ｏにガイドする制止面３１ａ，３４ａ（制止面３１ａは制止面３４ａの裏面）と、ピンガイド２３，２５との当接点Ｐを支点に頂点Ｖから原点Ｏに回転する帳票Ｌを台座２０から分離させる凹状の分離面３１ｂ，３４ｂとを有する楔形状をなしている。具体的には、例えば、帳票Ｌが矢印Ｂ１に沿って楔形ガイド３４に移動すると、楔形ガイド３４の制止面３４ａにより、帳票Ｌの移動が制止される。また、帳票Ｌが矢印Ｂ２に沿って楔形ガイド３４に移動すると、楔形ガイド３４の分離面３４ｂにより台座２０から分離する。
【００５１】
楔形ガイド２１，２４に代わって設置可能な楔形ガイド４１，４４は、図１０（Ｂ）に示されるように、帳票の移動を制止して当該帳票の頂点を原点Ｏにガイドする制止面４１ａ，４４ａ、ピンガイド２３，２５との当接点Ｐを支点に帳票Ｌの頂点Ｖから原点Ｏに回転する帳票Ｌを台座２０から分離させる分離面４１ｂ，４４ｂとを有する楔形状をなしている。なお、楔形ガイド４１，４４を楔形ガイド２１，２４に代わって配置する場合には、制止面４１ａ，４４ａを楔形ガイド２１，２４の制止面２１ａ，２４ａに対応させる。また、図１０（Ｂ）では、楔形ガイド４１に対する帳票Ｌの動きを始点が四角印の矢印で表し、楔形ガイド４４に対する帳票Ｌの動きは始点が丸印の矢印で表している。帳票Ｌが矢印Ｂ１に沿って楔形ガイド４１，４４に移動すると、楔形ガイド４１，４４の制止面４１ａ，４４ａにより、帳票Ｌの移動が制止される。また、帳票Ｌが矢印Ｂ２に沿って楔形ガイド４１，４４に移動すると、楔形ガイド４１，４４の分離面４１ｂ，４４ｂにより台座２０から分離する。
【００５２】
上記いずれの楔形ガイド３１，３４及び楔形ガイド４１，４４を利用しても楔形ガイド２１，２４と同様の効果が得られる。
［実施例２］
実施例２では、ピンガイドの別の例について説明する。
【００５３】
図１１は、実施例２に係るピンガイドを説明するための斜視図である。
ピンガイド２２，２３，２５，２６に代わって設置可能なピンガイド３２，３３，３５，３６は、図１１（Ａ）に示されるように、角柱（例えば、三角柱）のピン形状をなしている。このようなピンガイド３２，３３，３５，３６は、帳票Ｌの短辺または長辺が当接点Ｐの１点で当接する。特に、帳票Ｌはピンガイド３２，３３，３５の１点の当接点Ｐを支点に容易かつ円滑に回転する。
【００５４】
また、ピンガイド２２，２３，２５，２６に代わって設置可能なピンガイド４２，４３，４５，４６は、図１１（Ｂ）に示されるように、角錐（例えば、三角錐）のピン形状をなしている。このようなピンガイド４２，４３，４５，４６も同様に、帳票Ｌの短辺または長辺が当接点Ｐの１点で当接する。特に、帳票Ｌはピンガイド４２，４３，４５の当接点Ｐの１点を支点に容易かつ円滑に回転する。
【００５５】
上記いずれのピンガイド３２，３３，３５，３６及びピンガイド４２，４３，４５，４６を利用してもピンガイド２２，２３，２５，２６と同様の効果が得られる。
［実施例３］
実施例３では、ピンガイドの別の例について更に説明する。
【００５６】
ピンガイド２２，２３，２５，２６が円柱（図４（Ｂ））または角柱（図１１（Ａ））の場合、底部側を縮径させて側面に傾斜をつけることができる。
以下、このような円柱または角柱のピンガイド２２，２３，２５，２６の側面の傾斜角について説明する。
【００５７】
図１２は、実施例３に係る台座に設置されるピンガイドの形状を説明するための図である。
例えば、図１２に示されるように、イメージセンサ部１２の半径をｒ、イメージセンサ部１２から台座２０のＱ点までの高さをＨ、Ｑ点からピンガイド２２，２３，２５，２６までの距離をＸ（図３のｇ，ｆ，ｈ，ｉに対応）とすると、ピンガイド２２，２３，２５，２６の側面の垂直に対する最大傾斜角θは次式で表される。
【００５８】
θ＝ａｒｃｔａｎ（（Ｘ−ｒ）／Ｈ）＊（１８０／π）・・・・（１）
但し、ａｒｃｔａｎは逆正接、πは円周率である。
例えば、ｒが２０ｍｍ、Ｈが３７７ｍｍの場合、式（１）により、（Ｘ［ｍｍ］，θ［°］）は（１５０．６，１９．１）、（１２０．２，１４．９）、（１１２．９，１３．８）であることを算出することができる。
【００５９】
このようにして円柱または角柱のピンガイド２２，２３，２５，２６の側面に傾斜をつけることにより、ピンガイド２２，２３，２５，２６の形状の帳票画像への写りこみを防ぐことができる。
【００６０】
また、読み取り対象として取り扱われる帳票Ｌの中には、帳票Ｌの端部が反ったものも含まれる。ピンガイド２２，２３，２５，２６の側面に傾斜をつけることにより、台座２０上で帳票Ｌを移動させる際の帳票Ｌのピンガイド２２，２３，２５，２６への乗り上げを防止して、帳票Ｌを読み取り領域に確実に配置させることが可能となる。
【符号の説明】
【００６１】
１  読取装置
２，２０  台座
３，４，５，６  ガイド
５ａ  制止面
５ｂ  分離面
１０  帳票読取装置
１１  支柱
１２  イメージセンサ部
２１，２４，３１，３４，４１，４４  楔形ガイド
２１ａ，２４ａ，３１ａ，３４ａ，４１ａ，４４ａ  制止面
２１ｂ，２４ｂ，３１ｂ，３４ｂ，４１ｂ，４４ｂ  分離面
２２，２３，２５，２６，３２，３３，３５，３６，４２，４３，４５，４６  ピンガイド
Ａ１〜Ａ４，Ｂ１，Ｂ２，Ｃ１〜Ｃ５，Ｄ，Ｅ，Ｆ，Ｇ  矢印
ｆ，ｇ，ｈ，ｉ，Ｒ１，Ｒ２，Ｘ  距離
Ｈ  高さ
Ｌ  帳票
Ｌ１  Ａ４サイズ
Ｌ２  Ａ５サイズ
Ｌ３  Ｂ５サイズ
Ｌ４  Ｂ６サイズ
Ｌ５  免許証サイズ
Ｏ  原点
Ｐ  当接点
Ｑ  点
ｒ  半径
Ｍ  媒体
Ｖ  頂点
θ  最大傾斜角
【図１】
0005457994.tif 000002
【図２】
0005457994.tif 000003
【図３】
0005457994.tif 000004
【図４】
0005457994.tif 000005
【図５】
0005457994.tif 000006
【図６】
0005457994.tif 000007
【図７】
0005457994.tif 000008
【図８】
0005457994.tif 000009
【図９】
0005457994.tif 000010
【図１０】
0005457994.tif 000011
【図１１】
0005457994.tif 000012
【図１２】
0005457994.tif 000013